(57)【要約】【課題】  ２以上の大当たり状態が発生可能な遊技機が管理対象であった場合でも、遊技機の収支データが、どちらの大当たり状態に係る遊技特性に依存しているかを容易に把握可能にすること。【解決手段】  パチンコ遊技機１は、互いに異なる内容の第１種大当たり及び第２種大当たりが発生可能になっている。管理コンピュータ１６には、セーフ玉数とアウト玉数の差である差玉数データを演算すると共に、パチンコ遊技機１が第１種及び第２種大当たりにある各期間中における差玉数データの比率をパチンコ遊技機１毎に演算し、その演算結果を特性対比用データとして出力する。【選択図】  図１
2005160617.tif 000002
【特許請求の範囲】
【請求項１】
遊技媒体を使用した遊技により入賞が発生したときに所定個数の遊技媒体を払い出すように構成されその遊技時に入賞率を通常時より高めた第１の大当たり状態及び第２の大当たり状態が発生可能な遊技機に係る稼動データを各遊技機別に区分して集計管理する遊技場用データ管理システムにおいて、
前記稼働データとして、入賞に応じて払い出された遊技媒体数を示す払出遊技媒体数データ並びに当該入賞に応じて払い出された遊技媒体数と遊技に使用された遊技媒体数との差である差引遊技媒体数データの少なくとも一方を集計すると共に、前記遊技機が第１の大当たり状態及び第２の大当たり状態にある各期間中における前記払出遊技媒体数データの比率及び当該各期間中における前記差引遊技媒体数データの比率の少なくとも一方を遊技機毎に演算し、その演算結果を特性対比用データとして出力するデータ出力手段を設けたことを特徴とする遊技場用データ管理システム。
【請求項２】
前記データ出力手段は、遊技場内に設置された同一機種の遊技機群全体の特性対比用データを演算して出力することを特徴とする請求項１記載の遊技場用データ管理システム。
【請求項３】
前記遊技機は、予め設定されたスタート入賞の発生に応じて前記第１及び第２の大当たり状態のための各抽選動作を各々に設定された大当たり確率にて行い、各抽選結果に基づいて第１及び第２の大当たり状態を呈するように構成されたものであり、
前記データ出力手段には、前記遊技機が前記第１及び第２の大当たり状態にある各期間中の払出遊技媒体数データ或いは差引遊技媒体数データに基づいて、各大当たり状態での平均払出遊技媒体数データ或いは平均差引遊技媒体数データを算出する機能、前記遊技機におけるスタート入賞回数と前記大当たり確率とを乗算した結果を補正大当たり回数として算出する機能、前記補正大当たり回数と前記平均払出遊技媒体数データ或いは平均差引遊技媒体数データとを乗算した結果を補正払出遊技媒体数データ或いは補正差引遊技媒体数データとして算出する機能、前記遊技機が第１の大当たり状態及び第２の大当たり状態にある各期間中における前記補正払出遊技媒体数データの比率及び前記補正差引遊技媒体数データの比率の少なくとも一方を遊技機毎に演算し、その演算結果を補正用比率データとして出力する機能が設定されていることを特徴とする請求項１または２記載の遊技場用データ管理システム。
【請求項４】
前記データ出力手段は、遊技場内に設置された同一機種の遊技機群全体の補正用比率データを演算して出力することを特徴とする請求項３記載の遊技場用データ管理システム。
【請求項５】
前記遊技機は複数の電動役物を備えたパチンコ遊技機であることを特徴とする請求項１ないし４の何れかに記載の遊技場用データ管理システム。
【発明の詳細な説明】
【技術分野】
【０００１】
本発明は、パチンコ遊技機やスロットマシンのように、遊技媒体を使用した遊技により入賞が発生したときに所定個数の遊技媒体を払い出すように構成された遊技機、特には、その遊技時に入賞率を通常時より高めた第１の大当たり状態及び第２の大当たり状態が発生可能な遊技機に係る稼動データを各遊技機別に区分して集計管理するための遊技場用データ管理システムに関する。
【背景技術】
【０００２】
例えばパチンコ遊技機においては、複数の通常入賞口、スタート入賞口及び常時は閉鎖された状態の大入賞口を設けると共に、スタート入賞口へのパチンコ玉の入賞に応じて行われる抽選動作の結果を表示する表示装置を設け、表示された抽選動作結果が大当たりであったときに大入賞口を所定ラウンドだけ開放させて入賞率を通常時より大幅に高めた大当たり状態（特賞状態とも呼ばれる）を呈する構成のもの（所謂第１種パチンコ遊技機：セブン機）が広く普及している。従来では、この種のパチンコ遊技機に係る稼動データを管理するためのデータ管理システムとして、全部の入賞口へのパチンコ玉の入賞数を合算した総入賞数を算出すると共に、その総入賞数に対する各入賞口へのパチンコ玉の入賞数の比率を算出して出力するようにしたものが提供されている（例えば特許文献１参照）。
【０００３】
また、近年では、特許文献２及び特許文献３などに見られるように、スタート入賞口へのパチンコ玉の入賞に応じて行われる抽選動作の結果が当たりであった場合に大当たり状態を呈する第１種パチンコ遊技機と、始動チャッカーへのパチンコ玉の入賞により羽根が短時間だけ開き、その中にあるＶゾーンにパチンコ玉が入賞したときに大当たり状態を呈する第２種パチンコ遊技機（所謂ハネモノ）とを融合した形態のパチンコ遊技機（複合パチンコ遊技機）が提案されている。この他にも、第１種パチンコ遊技機若しくは第２種パチンコ遊技機と第３種パチンコ遊技機（所謂権利物）とを融合した形態、或いは同一種のパチンコ遊技機を融合した形態（例えば、第１種パチンコ遊技機の大当たり機能を２台分備えた形態）など、種々の形態の複合パチンコ遊技機が考えられている。
【０００４】
特に、風営法が来年（２００４年）１月に改正され７月から施行される予定だが、その法改正により従来の第１種、第２種といった遊技機種別が撤廃されるため、このような複合パチンコ遊技機が実際に遊技店に設置される日は遠くないと予想される。
【特許文献１】特開２００１−２３２００４号公報
【特許文献２】特開２０００−３３１４１号公報
【特許文献３】特開２００３−６２２１５号公報
【発明の開示】
【発明が解決しようとする課題】
【０００５】
例えば２種類の大当たり状態が発生可能な複合パチンコ遊技機にあっては、各大当たり状態が発生した状態毎に遊技特性（１入賞に対する払出玉数、大当たり状態時の１ラウンド当たりの入賞可能個数など）が異なるという事情がある。このため、特許文献１に見られるようなデータ管理装置のように、単に総入賞数に対する各入賞口への入賞数の比率を求めるだけの構成では、複合パチンコ遊技機の収支データが、どちらの大当たり状態に係る遊技特性に依存しているかを検討できないという問題点があり、この結果、例えば複合パチンコ遊技機の釘調整作業を的確に行うことが困難になるなどの状況が発生する。
【０００６】
本発明は上記事情に鑑みてなされたものであり、その目的は、２以上の大当たり状態が発生可能な遊技機が管理対象であった場合でも、遊技機の収支データが、どちらの大当たり状態に係る遊技特性に依存しているかを容易に把握可能となる遊技場用データ管理システムを提供することにある。
【課題を解決するための手段】
【０００７】
請求項１記載の発明は、上記目的を達成するために、遊技媒体を使用した遊技により入賞が発生したときに所定個数の遊技媒体を払い出すように構成され、その遊技時に入賞率を通常時より高めた第１の大当たり状態及び第２の大当たり状態が発生可能な遊技機に係る稼動データを各遊技機別に区分して集計管理する遊技場用データ管理システムにおいて、
前記稼働データとして、入賞に応じて払い出された遊技媒体数を示す払出遊技媒体数データ並びに当該入賞に応じて払い出された遊技媒体数と遊技に使用された遊技媒体数との差である差引遊技媒体数データの少なくとも一方を集計すると共に、前記遊技機が第１の大当たり状態及び第２の大当たり状態にある各期間中における前記払出遊技媒体数データの比率及び当該各期間中における前記差引遊技媒体数データの比率の少なくとも一方を遊技機毎に演算し、その演算結果を特性対比用データとして出力するデータ出力手段を設ける構成としたものである。
【０００８】
この場合、請求項２記載の発明のように、前記データ出力手段を、遊技場内に設置された同一機種の遊技機群全体の特性対比用データを演算して出力する構成としても良い。
【０００９】
請求項３記載の発明は、予め設定されたスタート入賞の発生に応じて前記第１及び第２の大当たり状態のための各抽選動作を各々に設定された大当たり確率にて行い、各抽選結果に基づいて第１及び第２の大当たり状態を呈するように構成された遊技機を管理対象としたものであり、
前記データ出力手段に対して、前記遊技機が前記第１及び第２の大当たり状態にある各期間中の払出遊技媒体数データ或いは差引遊技媒体数データに基づいて、各大当たり状態での平均払出遊技媒体数データ或いは平均差引遊技媒体数データを算出する機能、前記遊技機におけるスタート入賞回数と前記大当たり確率とを乗算した結果を補正大当たり回数として算出する機能、前記補正大当たり回数と前記平均払出遊技媒体数データ或いは平均差引遊技媒体数データとを乗算した結果を補正払出遊技媒体数データ或いは補正差引遊技媒体数データとして算出する機能、前記遊技機が第１の大当たり状態及び第２の大当たり状態にある各期間中における前記補正払出遊技媒体数データの比率及び前記補正差引遊技媒体数データの比率の少なくとも一方を遊技機毎に演算し、その演算結果を補正用比率データとして出力する機能を設定したものである。
【００１０】
この場合、請求項４記載の発明のように、前記データ出力手段を、遊技場内に設置された同一機種の遊技機群全体の補正用比率データを演算して出力する構成としても良い。
【００１１】
請求項５記載の発明のように、前記遊技機は複数の電動役物を備えたパチンコ遊技機であっても良い。
【発明の効果】
【００１２】
請求項１記載の発明によれば、遊技機に係る稼働データを各遊技機別に区分して集計管理するために設けられたデータ出力手段は、遊技機での入賞に応じて払い出された遊技媒体数を示す払出遊技媒体数データ並びに当該入賞に応じて払い出された遊技媒体数と遊技に使用された遊技媒体数との差である差引遊技媒体数データの少なくとも一方（つまり、遊技機の収支データ）を集計する。また、データ出力手段は、遊技機が第１の大当たり状態及び第２の大当たり状態にある各期間中における前記払出遊技媒体数データの比率及び当該各期間中における前記差引遊技媒体数データの比率の少なくとも一方を遊技機毎に演算し、その演算結果を特性対比用データとして出力する。従って、その特性対比用データに基づいて、遊技機の収支データがどちらの大当たり状態に係る遊技特性に依存しているかを容易に把握できるようになり、その把握結果に基づいて、例えば遊技機の遊技特性の調整作業（パチンコ遊技機の場合における釘調整作業など）を的確に行うことが可能になる。
【００１３】
請求項２記載の発明によれば、上記特性対比用データが、遊技場内に設置された同一機種の遊技機群全体について得られるから、第１及び第２の大当たり状態についての遊技特性の傾向を遊技機の機種毎に把握する上で有益になる。また、同一機種の遊技機群全体についての特性対比用データを、遊技機毎の特性対比用データの分析の目安となる標準的なデータとして利用できるようになり、従って、各大当たり状態についての遊技特性の傾向を分析する上でも有益になる。
【００１４】
請求項３記載の発明のように、予め設定されたスタート入賞の発生に応じて前記第１及び第２の大当たり状態のための各抽選動作を各々に設定された大当たり確率にて行い、各抽選結果に基づいて第１及び第２の大当たり状態を呈するように構成された遊技機が管理対象であった場合、１日程度の短期間での実際の大当たり確率は設定大当たり確率と異なる可能性が高いという事情があるため、前述した特性対比用データの演算を１日分の払出遊技媒体数データ及び差引遊技媒体数データに基づいて行ったときにはその特性対比用データの信頼性が低くなる。
【００１５】
これに対して請求項３記載の発明では、前記データ出力手段において、各大当たり状態での平均払出遊技媒体数データ或いは平均差引遊技媒体数データの算出、遊技機における実際のスタート入賞回数と予め設定されている大当たり確率とに基づいた補正大当たり回数の算出、この補正大当たり回数と前記平均払出遊技媒体数データ或いは平均差引遊技媒体数データとに基づいた補正払出遊技媒体数データ或いは補正差引遊技媒体数データの算出がそれぞれ行われると共に、遊技機が第１の大当たり状態及び第２の大当たり状態にある各期間中における前記補正払出遊技媒体数データの比率及び前記補正差引遊技媒体数データの比率の少なくとも一方が遊技機毎に演算され、その演算結果が補正用比率データとして出力される。つまり、この補正用比率データは、スタート入賞が実際に発生した回数と設定された大当たり確率に基づいて算出されたデータであって、遊技機の収支データがどちらの大当たり状態に係る遊技特性に依存しているかを把握する上での標準的な目安となる。従って、前記特性対比用データが、短期間の払出遊技媒体数データ及び差引遊技媒体数データに基づいて演算された場合であっても、補正用比率データと比較することによって当該特性対比用データの信頼性を高め得るようになる。
【００１６】
請求項４記載の発明によれば、上記補正用比率データが、遊技場内に設置された同一機種の遊技機群全体について得られるから、第１及び第２の大当たり状態についての遊技特性の傾向を遊技機の機種毎に把握する上で有益になると共に、その補正用比率データを、遊技機毎の補正用比率データの分析の目安となる標準的なデータとして利用できるようになる。
【００１７】
請求項５記載の発明によれば、管理対象が複合パチンコ遊技機であっても上述したような効果を得ることができる。
【発明を実施するための最良の形態】
【００１８】
（第１の実施の形態）
以下、本発明の第１実施例について図１ないし図９を参照しながら説明する。
図２にはパチンコ遊技機の正面外観が概略的に示されている。この図２において、パチンコ遊技機１は、その上皿２内のパチンコ玉（遊技媒体に相当）を電動式の玉発射機構（操作ダイヤルのみ符号３を付して示す）により盤面４へ発射する構成となっている。盤面４には、アウト口５、第１スタート入賞口６、第２スタート入賞口７ａ及び７ｂ、一般的にアタッカーと呼ばれている電動役物８ａを備えた大型入賞口８、複合役物９が設けられていると共に、図示しない通常入賞口も設けられている。
【００１９】
複合役物９は、第２種パチンコ遊技機（所謂ハネモノ）の機能を実現するためのセンター役物１０内に、第１種パチンコ遊技機（所謂セブン機）の機能を実現するための図柄表示部１１を配置した構成となっている。
図３には上記複合役物９が拡大した状態で示されており、以下この図３に基づいて複合役物９の構成を説明する。即ち、複合役物９を構成するセンター役物１０は、入賞領域を囲んだ形態の枠状部１０ａの左右両側に常時において当該入賞領域を閉鎖するように配置された一対の羽根１０ｂ（電動役物に相当）を備えており、その羽根１０ｂが図中に二点鎖線で示すように拡開されたときに入賞領域へのパチンコ玉の入賞が可能な状態となる。また、入賞領域の底部は、中央部に形成されたＶゾーン１０ｃと当該Ｖゾーン１０ｃ以外の部分を占める通常入賞口１０ｄとに区分されており、そのＶゾーン１０ｃをパチンコ玉が通過したときに第２大当たり条件が成立する。
【００２０】
即ち、センター役物１０にあっては、第２スタート入賞口７ａ或いは７ｂにパチンコ玉が入賞したときに羽根１０ｂを短時間（例えば１秒）だけ拡開する動作を実行する構成となっており、その拡開期間に枠状部１０ａにより囲まれた入賞領域に入賞したパチンコ玉がＶゾーン１０ｃを通過した場合に第２大当たり条件が成立することになる。この第２大当たり条件が成立した状態では、羽根１０ｂが比較的長い時間ずつ所定回数だけ拡開されるものであり、これに応じて入賞領域への入賞率が通常時より大幅に高められた第２の大当たり状態（以下これを第２種大当たりと呼ぶ）を呈する。このような第２種大当たりが発生したときの平均的な差玉数は、例えば１２００個前後に設定されている。尚、上記第２種大当たりにある期間には、第２スタート入賞口７ａ或いは７ｂにパチンコ玉が入賞した場合でも羽根１０ｂの短時間拡開動作が行われることはない。
【００２１】
上記入賞領域には、パチンコ玉の通過経路をランダムにするための複数のスタッド１０ｅが立設されている。また、センター役物１０の枠状部１０ａにおいて、羽根１０ｂの基端部に対応した各部位にワープルート入口１０ｆが設けられていると共に、入賞領域の入口に対応した両側部位にワープルート出口１０ｇが設けられており、羽根１０ｂの拡開時にワープルート入口１０ｆにパチンコ玉が進入したときは、そのパチンコ玉がワープルート出口１０ｇから入賞領域の中央に向けて放出されてＶゾーン１０ｃへの入賞確率が高くなるように構成されている。
【００２２】
一方、図柄表示部１１は、第１スタート入賞口６へのパチンコ玉の入賞に応じて行われる所定確率の抽選動作の結果を表示するためのもので、図２及び図３では、３桁の数字列より成るルーレットを表示する例が示されている。即ち、図柄表示部１１は、第１スタート入賞口６へのパチンコ玉の入賞に応じてルーレットの変動表示（本実施例の場合、数字列の各桁の「０」〜「９」の範囲での変動表示）を開始するものであり、上記抽選動作の結果が大当たりであったときにはその変動終了時点で数字列が「１１１」、「２２２」、…のようなぞろ目図柄（大当たり図柄）となるように制御される。
【００２３】
このようにぞろ目図柄が表示された状態は、第１大当たり条件が成立した状態に相当する。そして、第１大当たり条件が成立したときには、大型入賞口８の電動役物８ａ（アタッカー）が予め決められたモードにて所定期間だけ開放され、以て当該入賞口８への入賞率が極端に高められた第１の大当たり状態（以下これを第１種大当たりと呼ぶ）を呈するものである。このような第１種大当たりが発生したときの平均的な差玉数は、例えば１８００個前後に設定されている。
【００２４】
この場合、本実施例によるパチンコ遊技機１では、第１種大当たり及び第２種大当たりが同時に進行しない構成となっており、例えば、上述した第１大当たり条件及び第２大当たり条件が双方とも成立した状態となったときには、第２種大当たりへ優先的に切り替わる構成となっている。つまり、第１種大当たりにある期間中に第２大当たり条件が成立したときには、当該第１種大当たりを中断して第２種大当たりに切り替わり、この後に第２種大当たりが終了したときに第１種大当たりに復帰する構成となっており、第２種大当たりにある期間中に第１大当たり条件が成立したときには、当該第２種大当たりが終了した後に第１種大当たりに切り替わる構成となっている。要するに、第１種及び第２種大当たりが同時期に発生可能であるが、それら大当たりが同時には進行しない構成となっている。尚、図柄表示部１１の変動表示期間中に第２種大当たりが発生したときには、その変動表示は、その後に第２種大当たりが終了するまでの期間だけ中断された状態となる。
【００２５】
また、第１スタート入賞口６へのパチンコ玉の入賞が、図柄表示部１１の変動表示期間、第１種大当たり或いは第２種大当たりにある期間中に発生した各場合には、その入賞に応じた抽選結果の表示が保留される。そして、このように保留された抽選結果の表示動作は、図柄表示部１１の変動表示の終了、第１種或いは第２種大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、図柄表示部１１の上方に発光ダイオードを利用した保留玉表示部１１ａが設けられている。
【００２６】
このように構成されたパチンコ遊技機１には、以下に述べるような各信号を外部へ出力する機能が設けられている。
即ち、パチンコ遊技機１は、打込パチンコ玉数を示すアウト玉数信号、並びに賞球として払い出されたパチンコ玉の数を示すセーフ玉数信号を出力する構成となっている。また、パチンコ遊技機１は、図柄表示部１１による図柄変動動作の実行（以下、これを第１スタートと呼ぶ）毎に第１スタート信号を出力し、第２スタート入賞口７ａ或いは７ｂへのパチンコ玉の入賞に応じた羽根１０ｂの短時間拡開動作の実行（以下、これを第２スタートと呼ぶ）毎に第２スタート信号を出力する構成となっており、さらに、第１種大当たり及び第２種大当たりにある各期間に第１大当たり信号及び第２大当たり信号をそれぞれ出力する構成となっている。尚、本実施例のパチンコ遊技機１は、第１種大当たりにある期間に第１大当たり信号を継続的に出力すると共に、第２種大当たりにある期間に第２大当たり信号を継続的に出力する構成となっている。
【００２７】
図１には、本実施例によるパチンコホール用管理システムの概略的構成が本発明の要旨に関係した部分のみ示されている。この図１において、パチンコホール内に多数台ずつ設置されたパチンコ遊技機１及び台間玉貸機１２は、互いの間で信号の授受を行い得るように構成されている。パチンコ遊技機１の上方には呼出ランプユニット１３が設けられており、当該パチンコ遊技機１は、呼出ランプユニット１３を介して入出力装置１４と接続され、台間玉貸機１２はパチンコ遊技機１及び呼出ランプユニット１３を介して入出力装置１４に接続されている。尚、パチンコ遊技機１から入出力装置１４には、前述したアウト玉数信号、セーフ玉数信号、第１スタート信号、第２スタート信号、第１大当たり信号、第２大当たり信号などが出力される。
【００２８】
台間玉貸機１２は、プリペイドカード挿入口１２ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１２から入出力装置１４には、プリペイドカードによる売上を示す売上信号などが出力される。
【００２９】
呼出ランプユニット１３は、複数の表示ランプ１３ａ、例えば液晶パネルより成るデータ表示部１３ｂ、呼出ボタン１３ｃなどを備えた周知構成のもので、呼出ボタン１３ｃの操作に伴う呼び出し状態の表示機能、対応するパチンコ遊技機１で発生した大当たり状態などを表示する機能、パチンコ遊技機１での稼動データに基づいて作成した遊技客向けデータ（大当たり発生回数など）を表示する機能（これについては後述する）、パチンコ遊技機１及び台間玉貸機１２のためのデータ入出力インタフェースの機能などを備えている。
【００３０】
入出力装置１４は、店内ＬＡＮ１５に接続されており、この店内ＬＡＮ１５には、パチンコホールの管理事務所内に設置された管理コンピュータ１６（データ出力手段に相当）が接続されている。また、図示しないが、店内ＬＡＮ１５には、景品交換カウンタに設置されたＰＯＳ端末及び島端に設置されたパチンコ玉計数機なども接続される。
【００３１】
管理コンピュータ１６は、パチンコ遊技機１及び台間玉貸機１２から出力される種々の信号（アウト玉数信号、セーフ玉数信号、第１スタート信号、第２スタート信号、第１大当たり信号、第２大当たり信号、売上信号など）に基づいて、パチンコ遊技機１についての稼動データ（アウト玉数、セーフ玉数（払出遊技媒体数データに相当）、差玉数（差引遊技媒体数データに相当）、稼動率、出玉率、ベース、センター役物１０及び図柄表示部１１の各スタート回数（第１スタート回数、第２スタート回数）、第１種大当たり及び第２種大当たりの各発生回数など）、並びに台間玉貸機１２についての貸出高データ（売上金額、割数など）を集計して格納するという周知のデータ集計機能を備えた構成となっている。
【００３２】
また、管理コンピュータ１６は、上記のようなデータ集計機能の他に、本発明の要旨に関係した大当たり履歴データの作成及び出力機能を備えており、以下においては、その機能について図４ないし図７も参照しながら説明する。
図４には、パチンコ遊技機１での第１大当たり信号及び第２大当たり信号の出力タイミングの一例が示されている。この例では、第１大当たり信号が４回出力され（第２種大当たりの発生に応じて第１種大当たりが中断した場合に出力される信号（図４に矢印Ａで示す信号）は１回としてカウント）、第２大当たり信号が５回出力された場合、つまり、第１種大当たりが４回発生し、第２種大当たりが５回発生した場合について示されており、図４中には、各信号の出力順（各大当たりの発生順）に通し番号「１」〜「９」が付されている。尚、図４に示した通し番号「７」に対応した第１大当たり信号は、所謂確変を伴った第１種大当たりが発生したときの信号であり、確変が伴っているか否かの判断は、例えば、図柄表示部１１の表示図柄に基づいて行うことができる。また、これ以外にも、第１種大当たりの発生時において所謂時短が伴っているか否かの判断についても、図柄表示部１１の表示図柄に基づいて行うことができる。
【００３３】
管理コンピュータ１６には、前述のデータ集計機能により得た稼動データ、並びにパチンコ遊技機１から与えられる第１及び第２大当たり信号に基づいて各パチンコ遊技機１に係る大当たり履歴データを作成して出力する機能が設けられているが、本実施例では、その作成・出力形態として第１のデータ作成モード、第２のデータ作成モード及び第３のデータ作成モードが設定されており、以下においては、第１、第２及び第３のデータ作成モードについて、図４のようなタイミングで第１大当たり信号及び第２大当たり信号を出力したパチンコ遊技機１を対象にして説明する。
【００３４】
（１）第１のデータ作成モード
第１のデータ作成モードでは、パチンコ遊技機１において第１種及び第２種大当たりの何れかが発生するまでの期間の稼動データ並びに当該大当たり期間中の稼動データに基づいて各回の大当たり履歴データを作成し、第１種及び第２種大当たりの双方についての大当たり履歴データを発生順に並べると共に、これに他の所定のデータを付け加えた状態の複合データとして出力する。
【００３５】
具体的には、各大当たり履歴データは、大当たりの発生時刻、大当たりの発生時点までの売上金額、大当たりの種類（第１種及び第２種の区別及び確変の有無）、大当たり間アウト（その種類に関係なく大当たりが新たに発生するまでの期間のアウト玉数）、大当たり間差玉（その種類に関係なく大当たりが新たに発生するまでの期間の差玉数）、大当たり間スタート（直前の同一種類の大当たりが発生してから該当大当たりが発生するまでの期間のスタート回数（第１スタート回数及び第２スタート回数）：但し、営業開始後に最初に発生した大当たりについては、営業開始後から該当大当たりが発生するまでの期間のスタート回数）、大当たり中差玉（１回の大当たり期間中の差玉数）、持ち玉（大当たりが終了した時点での遊技客側の持ち玉数）を組み合わせたデータであり、プリンタを通じた印字出力或いはディスプレイを通じた表示出力として提供される。
【００３６】
図５には、図４のようなタイミングで第１大当たり信号及び第２大当たり信号を出力したパチンコ遊技機１に対応した複合データを、当該図４中に示したタイミングＴにて作成した場合の例が示されている。
この図５において、複合データは、大当たりの発生順を示す通し番号（「１」〜「９」）と対応付けた状態で、各大当たり履歴データ（発生時刻、売上金額、大当たりの種類、大当たり間アウト、大当たり間差玉、大当たり間スタート（第１スタート回数及び第２スタート回数）、大当たり中差玉、持ち玉の組合せデータ）を記録すると共に、図４中のタイミングＴでの大当たり間アウト、大当たり間差玉、大当たり間スタートを記録し、さらに、これらのデータに対し以下に述べるような「第１種合計」、「第２種合計」、「差玉比率」、「第１種平均」、「第２種平均」、「実スタート比率」、「平均スタート」、「平均スタート比率」、「全平均」の各データを付け加えた形態となっている。
【００３７】
「第１種合計」……第１種大当たりが発生するまでの第１スタート回数及び現在時点までの第１スタート回数、第１種大当たりの発生に応じた大当たり中差玉について各々合計したデータ、
「第２種合計」……第２種大当たりが発生するまでの第２スタート回数及び現在時点までの第２スタート回数、第２種大当たりの発生に応じた大当たり中差玉について各々合計したデータ、
「差玉比率」……第１種大当たりの発生に応じた大当たり中差玉の合計と第２種大当たりの発生に応じた大当たり中差玉の合計との比率を示すデータ（本発明でいう特性対比用データに相当）、
「第１種平均」……第１種大当たりに対応した大当たり間アウト、大当たり間差玉、第１スタート回数、大当たり中差玉についての第１種大当たり１回当たりの平均をそれぞれ示すデータ（但し、大当たり間アウト、大当たり間差玉は後述する第１種大当たり絞り込みデータの算出に応じて得られるデータである）、
「第２種平均」……第２種大当たりに対応した大当たり間アウト、大当たり間差玉、第２スタート回数、大当たり中差玉についての第２種大当たり１回当たりの平均をそれぞれ示すデータ（但し、大当たり間アウト、大当たり間差玉は後述する第２種大当たり絞り込みデータの算出に応じて得られるデータである）、
実スタート比率……「第１種平均」中の第１スタート回数と「第２種平均」中の第２スタート回数との比率を示すデータ、
平均スタート……大当たり間アウト１０００個当たりの第１スタート回数の平均値（＝「第１種平均」中の第１スタート回数÷（「第１種平均」中の大当たり間アウト÷１０００））、並びに大当たり間アウト１０００個当たりの第２スタート回数の平均値（＝「第２種平均」中の第２スタート回数÷（「第２種平均」中の大当たり間アウト÷１０００））を示すデータ、
平均スタート比率……「平均スタート」中の第１スタート回数の平均値と第２スタート回数の平均値との比率を示すデータ、
「全平均」……第１種及び２種大当たりの発生に応じた大当たり間アウト、大当たり間差玉、第１スタート回数、第２スタート回数、大当たり中差玉の各平均をそれぞれ示すデータ。
【００３８】
（２）第２のデータ作成モード
第２のデータ作成モードは、管理コンピュータ１６に設定された第１出力機能により実現されるものである。このモードでは、パチンコ遊技機１において第１種大当たりが発生するまでの期間の稼動データ並びに当該大当たり期間中の稼動データに基づいて第１大当たり履歴データを作成し、この第１大当たり履歴データを発生順に並べると共に、これに他の所定のデータを付け加えた状態の第１種大当たり絞り込みデータとして出力する。
【００３９】
上記第１大当たり履歴データは、基本的には、前述した大当たり履歴データと同様のものであり、大当たりの発生時刻、大当たりの種類、大当たり間アウト（但し、この場合は第１種大当たりが新たに発生するまでの期間のアウト玉数）、大当たり間差玉（但し、この場合は第１種大当たりが新たに発生するまでの期間の差玉数であり、当該期間中に発生した第２種大当たり時の差玉数も計算の対象となる）、大当たり間スタート（第１スタート回数）、大当たり中差玉、持ち玉を組み合わせたデータであり、プリンタを通じた印字出力或いはディスプレイを通じた表示出力として提供される。
【００４０】
図６には、図４のようなタイミングで第１大当たり信号及び第２大当たり信号を出力したパチンコ遊技機１に対応した第１種大当たり絞り込みデータを、当該図４中に示したタイミングＴにて作成した場合の例が示されている。
この図６において、第１種大当たり絞り込みデータは、第１種大当たりの発生順を示す通し番号（「２」、「５」、「７」、「８」）と対応付けた状態で、各第１大当たり履歴データ（発生時刻、大当たりの種類、大当たり間アウト、大当たり間差玉、大当たり間スタート（第１スタート回数）、大当たり中差玉、持ち玉の組合せデータ）を記録すると共に、図４中のタイミングＴでの大当たり間アウト、大当たり間差玉、大当たり間スタートを記録し、さらに、これらのデータに対し前述した「第１種平均」データを付け加えた形態となっている。
【００４１】
この第１種大当たり絞り込みデータ中の大当たり間アウトは、前述したように、第１種大当たりが新たに発生するまでの期間のデータであり、本実施例のように第１種大当たり及び第２種大当たりが同時進行しない構成では、第１種大当たりが新たに発生するまでの期間の大当たり間アウトを単純に加算すれば良いものである。具体的には、例えば、図６中の通し番号「２」に対応した大当たり間アウトは、図５中の通し番号「１」及び「２」に対応した各大当たり間アウト（＝３２００、１６２０）を加算した「４８２０」、図６中の通し番号「５」に対応した大当たり間アウトは、図５中の通し番号「３」、「４」及び「５」に対応した各大当たり間アウト（＝１１０、２５８０、１８６０）を加算した「４５５０」というように計算される。
【００４２】
また、第１種大当たり絞り込みデータ中の大当たり間差玉は、前述したように、第１種大当たりが新たに発生するまでの期間のデータであって、当該期間中に発生した第２種大当たりに伴う差玉数も含むものある。従って、この大当たり間差玉は、第１種大当たりが新たに発生するまでの期間における大当たり間差玉と、その期間中に発生した第２種大当たりに伴う大当たり中差玉とを加算すれば良いものである。具体的には、例えば、図６中の通し番号「２」に対応した大当たり間差玉は、図５中の通し番号「１」及び「２」に対応した各大当たり間差玉（＝−１９２０、−９７０）と、図５中の通し番号「１」に対応した大当たり中差玉（＝１１８０）を加算した「１７１０」、図６中の通し番号「５」に対応した大当たり間差玉は、図５中の通し番号「３」、「４」及び「５」に対応した各大当たり間差玉（＝−６０、−１５４０、−１１１０）と、図５中の通し番号「３」及び「４」に対応した各大当たり中差玉（＝１２３０、１１９０）を加算した「−２９０」というように計算される。
【００４３】
（３）第３のデータ作成モード
第３のデータ作成モードは、管理コンピュータ１６に設定された第２出力機能により実現されるものである。このモードでは、パチンコ遊技機１において第２種大当たりが発生するまでの期間の稼動データ並びに当該大当たり期間中の稼動データに基づいて第２大当たり履歴データを作成し、この第２大当たり履歴データを発生順に並べると共に、これに他の所定のデータを付け加えた状態の第２種大当たり絞り込みデータとして出力する。
【００４４】
上記第２大当たり履歴データは、基本的には、前述した大当たり履歴データと同様のものであり、大当たりの発生時刻、大当たりの種類、大当たり間アウト（但し、この場合は第２種大当たりが新たに発生するまでの期間のアウト玉数）、大当たり間差玉（但し、この場合は第２種大当たりが新たに発生するまでの期間の差玉数であり、当該期間中に発生した第１種大当たり時の差玉数も計算の対象となる）、大当たり間スタート（第２スタート回数）、大当たり中差玉、持ち玉を組み合わせたデータであり、プリンタを通じた印字出力或いはディスプレイを通じた表示出力として提供される。
【００４５】
図７には、図４のようなタイミングで第１大当たり信号及び第２大当たり信号を出力したパチンコ遊技機１に対応した第２種大当たり絞り込みデータを、当該図４中に示したタイミングＴにて作成した場合の例が示されている。
この図７において、第２種大当たり絞り込みデータは、第２種大当たりの発生順を示す通し番号（「１」、「３」、「４」、「６」、「９」）と対応付けた状態で、各第２大当たり履歴データ（発生時刻、大当たりの種類、大当たり間アウト、大当たり間差玉、大当たり間スタート（第２スタート回数）、大当たり中差玉、持ち玉の組合せデータ）を記録すると共に、図４中のタイミングＴでの大当たり間アウト、大当たり間差玉、大当たり間スタートを記録し、さらに、これらのデータに対し前述した「第２種平均」データを付け加えた形態となっている。
【００４６】
この第２種大当たり絞り込みデータ中の大当たり間アウトは、前述したように、第２種大当たりが新たに発生するまでの期間のデータであり、本実施例のように第１種大当たり及び第２種大当たりが同時進行しない構成では、第２種大当たりが新たに発生するまでの期間の大当たり間アウトを単純に加算すれば良いものである。具体的には、例えば、図７中の通し番号「３」に対応した大当たり間アウトは、図５中の通し番号「２」及び「３」に対応した各大当たり間アウト（＝１６２０、１１０）を加算した「１７３０」、図７中の通し番号「９」に対応した大当たり間アウトは、図５中の通し番号「７」、「８」及び「９」に対応した各大当たり間アウト（＝１９８０、１６５０、７３０）を加算した「４３６０」というように計算される。
【００４７】
また、第２種大当たり絞り込みデータ中の大当たり間差玉は、前述したように、第２種大当たりが新たに発生するまでの期間のデータであって、当該期間中に発生した第１種大当たり時の差玉数も含むものある。従って、この大当たり間差玉は、第２種大当たりが新たに発生するまでの期間における大当たり間差玉と、その期間中に発生した第１種大当たりに伴う大当たり中差玉とを加算すれば良いものである。具体的には、例えば、図７中の通し番号「３」に対応した大当たり間差玉は、図５中の通し番号「２」及び「３」に対応した各大当たり間差玉（＝−９７０、−６０）と、図５中の通し番号「２」に対応した大当たり中差玉（＝１８２０）を加算した「７９０」、図７中の通し番号「９」に対応した大当たり間差玉は、図５中の通し番号「７」、「８」及び「９」に対応した各大当たり間差玉（＝−１１８０、−２５０、−４３０）と、図５中の通し番号「７」及び「８」に対応した各大当たり中差玉（＝１７６０、１７９０）を加算した「１６９０」というように計算される。
【００４８】
一方、管理コンピュータ１６には、上記のような第１ないし第３のデータ作成モードで作成した複合データ、第１種大当たり絞り込みデータ、第２種大当たり絞り込みデータを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【００４９】
図８及び図９には、データ表示部１３ｂでの表示例が示されている。
即ち、図８は複合データ（図５参照）に基づいて作成した遊技客向けデータの表示例を示すものであり、
・当日の第１種大当たりの発生回数ａ、
・当日の確変及び時短の発生回数ｂ、
・当日の第２種大当たりの発生回数ｃ、
・前回の第１種大当たりの終了後から現在時点までの第１スタート回数ｄ（但し、第１種大当たりが未発生の時点では当日の営業開始時点から現在時点までの第１スタート回数）、
・前回の第２種大当たりの終了後から現在時点までの第２スタート回数ｅ（但し、第２種大当たりが未発生の時点では当日の営業開始時点から現在時点までの第２スタート回数）、
・前日の第１種大当たりの発生回数ｆ、
・前日の第２種大当たり発生回数ｇ、
・前々日の第１種大当たりの発生回数ｈ、
・前々日の第２種大当たりの発生回数ｉ、
がそれぞれ数値表示されると共に、第１及び第２スタート回数についてのスタート履歴グラフｊ、第１種大当たりについての所謂連チャン回数ｋが表示される。
【００５０】
スタート履歴グラフｊは、第１スタート回数及び第２スタート回数についての履歴を互いに識別可能な状態（例えば表示色を変えた状態）のデータセットから成る棒グラフにより表示したものであり、各データセットは、１目盛が１〜１００回に対応している。つまり、１目盛のみ表示された棒グラフはスタート回数が１〜１００回、２目盛表示された棒グラフはスタート回数が１０１〜２００回、３目盛表示された棒グラフはスタート回数が２０１〜３００回、……ということになる。
【００５１】
この場合、前回の該当大当たりの終了時点（若しくは営業開始時点）から現在時点までの間における第１スタート回数及び第２スタート回数が、「現在」の文字に対応付けて表示されると共に、新たに第１種大当たり或いは第２種大当たりが発生した時点までの各期間の該当スタート回数（第１スタート回数或いは第２スタート回数）についての過去５回分の履歴が、「１回前」、「２回前」、「３回前」、「４回前」、「５回前」の文字に対応付けて表示される。但し、確変（或いは時短）を伴った第１種大当たり及びこの確変（或いは時短）時に発生した第１種大当たり（つまり、連チャン状態）は、これを１回とカウントしており、当該確変（或いは時短）を伴った第１種大当たりが新たに発生するまでの期間の第１スタート回数について棒グラフ表示している。
【００５２】
つまり、図５の複合データの例では、通し番号「７」及び「８」の大当たり履歴データに対応した２回分の第１種大当たりが１回とカウントされるものであり、当該大当たりに対応した第１スタート回数は、「２回前」の履歴となる。この図５の例では、確変（或いは時短）を伴った第１種大当たりに係る通し番号「７」の大当たり履歴データにおける第１スタート回数は「１１８」であるから、「２回前」の文字に対応した棒グラフは２目盛が表示されることになる。
【００５３】
連チャン回数ｋは、「現在」、「１回前」、「２回前」、「３回前」、「４回前」、「５回前」の文字に対応付けた状態で数値表示されるものであるが、第２種大当たりについては確変や時短という概念がないので、「‐」が表示されることになる。尚、連チャン回数ｋ＝「０」は第１種大当たりが未発生であることを示し、連チャン回数ｋ＝「１」は第１種大当たりが単独発生したものであることを示す。
【００５４】
図９は第１種大当たり絞り込みデータ（図６参照）及び第２種大当たり絞り込みデータ（図７参照）に基づいて作成した遊技客向けデータの表示例を示すものであり、前記図８に示した遊技客向けデータと同じ内容の第１種大当たりの発生回数ａ、確変及び時短の発生回数ｂ、第２種大当たりの発生回数ｃ、第１スタート回数ｄ、第２スタート回数ｅがそれぞれ数値表示されると共に、第１スタート回数に絞った状態の第１スタート履歴グラフｍ、第１種大当たりについての連チャン回数ｎ、第２スタート回数に絞った状態の第２スタート履歴グラフｐが表示される。
【００５５】
第１スタート履歴グラフｍは、第１スタート回数を棒グラフにより表示したものであり、その棒グラフの各データセットは、前記図８に示したスタート履歴グラフｊと同様に１目盛が１〜１００回に対応している。この場合、前回の第１種大当たりの終了時点（若しくは営業開始時点）から現在時点までの間における第１スタート回数が、「現在」の文字に対応付けて表示されると共に、新たに第１種大当たりが発生した時点までの各期間の第１スタート回数についての過去５回分の履歴が、「１回前」、「２回前」、「３回前」、「４回前」、「５回前」の文字に対応付けて表示される。但し、この第１スタート履歴グラフｍにおいても、連チャン状態を１回とカウントしており、当該連チャンの起点となった確変（或いは時短）を伴った第１種大当たりが新たに発生するまでの期間の第１スタート回数について棒グラフ表示している。
【００５６】
つまり、図７の第１種大当たり絞り込みデータの例では、通し番号「７」及び「８」の大当たり履歴データに対応した２回分の第１種大当たりが１回とカウントされるものであり、当該大当たりに対応した第１スタート回数は、「１回前」の履歴となる。この図７の例では、確変（或いは時短）を伴った第１種大当たりに係る通し番号「７」の大当たり履歴データにおける第１スタート回数は「１１８」であるから、「１回前」の文字に対応した棒グラフは２目盛が表示されることになる。また、連チャン回数ｎは、「現在」、「１回前」、「２回前」、「３回前」、「４回前」、「５回前」の文字に対応付けた状態で数値表示される。
【００５７】
第２スタート履歴グラフｎは、第２スタート回数を棒グラフにより表示したものであり、その棒グラフの各データセットは、前記第１スタート履歴グラフｍと同様に１目盛が１〜１００回に対応している。この場合、前回の第２種大当たりの終了時点（若しくは営業開始時点）から現在時点までの間における第２スタート回数が、「現在」の文字に対応付けて表示されると共に、新たに第２種大当たりが発生した時点までの各期間の第２スタート回数についての過去５回分の履歴が、「１回前」、「２回前」、「３回前」、「４回前」、「５回前」の文字に対応付けて表示される。
【００５８】
以上要するに、上記した第１実施例によれば、パチンコ遊技機１に係る稼働データ（アウト玉数、セーフ玉数、差玉数、第１スタート回数、第２スタート回数など）を各遊技機１別に区分して集計管理するために設けられた管理コンピュータ１６は、パチンコ遊技機１における第１種大当たりの発生に応じた大当たり中差玉の合計と第２種大当たりの発生に応じた大当たり中差玉の合計との比率を演算し、その演算結果を特性対比用データとして出力する。従って、その特性対比用データに基づいて、パチンコ遊技機１の収支データが、第１種大当たり及び第２種大当たりの何れの遊技特性に依存しているかを容易に把握できるようになり、その把握結果に基づいて、パチンコ遊技機１の遊技特性の調整作業（例えば釘調整作業など）を的確に行うことが可能になる。
【００５９】
また、本実施例によれば、上記特性対比用データが出力されるだけでなく、第１種及び第２種大当たりの双方についての種々の大当たり履歴データ（大当たり間アウト、大当たり間差玉、大当たり間スタート、大当たり中差玉など）を含んで成る複合データ（図５参照）と、第１種大当たりについての種々の大当たり履歴データを含んで成る第１種大当たり絞り込みデータ（図６参照）と、第２種大当たりについての種々の大当たり履歴データを含んで成る第２種大当たり絞り込みデータ（図７参照）とを所定日数分に渡って蓄積すると共に、その蓄積データを印字出力或いはディスプレイを通じた表示出力として遊技場従業員に対し選択的に提供できる構成となっているから、パチンコ遊技機１における第１種及び第２種大当たりの傾向を遊技場側で正確に把握可能になり、以て遊技場の営業計画の立案やパチンコ遊技機１の調整作業などのために貢献できるようになる。
【００６０】
さらに、本実施例によれば、上述のように所定日数分に渡って蓄積された複合データ、第１種大当たり絞り込みデータ、第２種大当たり絞り込みデータに基づいて作成した遊技客向けデータを呼出ランプユニット１３のデータ表示部１３ｂに表示することにより遊技客側に提供する機能が設けられているから、遊技客側においてもパチンコ遊技機１における各大当たりの傾向をある程度把握することが可能になり、以て、遊技に対する興趣の向上ひいては遊技客の来店率の向上を図る上で有益になる。
【００６１】
（第２の実施の形態）
図１０ないし図１３には本発明の第２実施例が示されており、以下これについて前記第１実施例と異なる部分のみ説明する。
即ち、本実施例において管理対象となるパチンコ遊技機１は、第１種大当たり及び第２種大当たりの並行発生（重複発生）が可能な構成となっている点が前記第１実施例と異なるものであり、図１０（ａ）、（ｂ）には、当該パチンコ遊技機１での第１大当たり信号及び第２大当たり信号の出力タイミングの一例が示されている。
図１０（ａ）には、第１大当たり信号が４回出力され且つ第２大当たり信号が５回出力された場合、つまり、第１種大当たりが４回発生し、第２種大当たりが５回発生した場合について示されており、図１０（ｂ）には、同図（ａ）中の期間Ｐ１について、その時間軸を拡大した状態で示している。尚、図１０中には、各信号の出力順（各大当たりの発生順）に通し番号「１」〜「９」が付されている。
【００６２】
図１０（ｂ）から理解できるように、通し番号「２」に対応した第１種大当たりと通し番号「３」に対応した第２種大当たりとが重複して発生し、通し番号「５」に対応した第１種大当たりと通し番号「６」に対応した第２種大当たりとが重複して発生している。この場合、第１種大当たりの継続時間の方が第２種大当たりの継続時間より長くなるという一般的事情があるため、各大当たりの重複形態が以下に述べる２種類発生することになる。
【００６３】
（１）第１の重複形態
図１０（ｂ）に示すように、時刻ｔ１に発生した第１種大当たりが終了する時刻ｔ３以前の時刻ｔ２に第２種大当たりが発生し、その第２種大当たりの終了時刻ｔ４が第１種大当たりの終了時刻ｔ３以降になる重複形態、つまり、第１種及び第２種大当たりがそれぞれ単独で発生している期間が存在する重複形態。尚、図示しないが、第２種大当たりの発生後に第１種大当たりが重複して発生した場合（この場合には、両者の継続時間の関係から第２種大当たりの終了後に第１種大当たりが終了することになる）も、この第１の重複形態に分類される。
（２）第２の重複形態
図１０（ｂ）に示すように、第１種大当たりの発生期間（時刻ｔ７〜ｔ１０）内に第２種大当たりの発生（時刻ｔ８）及び終了（時刻ｔ９）が収まる重複形態、つまり、第２種大当たりが単独で発生している期間が存在しない重複形態。
【００６４】
本実施例では、上記第１の重複形態を単に「重複」と呼び、上記第２の重複形態を「吸収」と呼ぶことにする。尚、図１０（ａ）に示した通し番号「７」に対応した第１大当たり信号は、所謂確変を伴った第１種大当たりが発生したときの信号であり、確変或いは時短が伴っているか否かの判断は、前記第１実施例で述べた手段で行うことができる。
管理コンピュータ１６には、第１実施例と同様に、第１のデータ作成モード、第２のデータ作成モード及び第３のデータ作成モードが設定されており、以下においては、この実施例による第１、第２及び第３のデータ作成モードについて、図１０のようなタイミングで第１大当たり信号及び第２大当たり信号を出力したパチンコ遊技機１を対象にして説明する。尚、管理コンピュータ１６は、第１種及び第２種大当たりが重複して発生した場合に、各大当たりでの差玉数を個別に集計可能になっており、また、その場合において、各大当たりが重複発生している期間のアウト玉数及び各大当たりが単独発生しているときのアウト玉数も個別に集計可能になっている。
【００６５】
（１）第１のデータ作成モード
この第１データ作成モードでは、基本的には第１実施例と同様に、パチンコ遊技機１において第１種及び第２種大当たりの何れかが発生するまでの期間の稼動データ並びに当該大当たり期間中の稼動データに基づいて各回の大当たり履歴データを作成し、第１種及び第２種大当たりの双方についての大当たり履歴データを発生順に並べると共に、これに他の所定のデータを付け加えた状態の複合データとして出力するものである。但し、本実施例での大当たり履歴データは、大当たりの発生時刻、大当たりの種類、大当たりの発生状態（「重複」、「吸収」、「確変」、「時短」の区別）、大当たり間アウト、大当たり間差玉、大当たり間スタート、大当たり中差玉、大当たり中アウト（１回の大当たり期間中のアウト玉数）、持ち玉を組み合わせたデータである。
【００６６】
図１１には、第１のデータ作成モードで作成される複合データの例が示されている（データ作成タイミングは図１０（ａ）に示したタイミングＴ）。この図１１において、複合データは、大当たりの発生順を示す通し番号（「１」〜「９」）と対応付けた状態で、各大当たり履歴データ（発生時刻、大当たりの種類、発生状態、大当たり間アウト、大当たり間差玉、大当たり間スタート（第１スタート回数及び第２スタート回数）、大当たり中差玉、大当たり中アウト、持ち玉の組合せデータ）を記録すると共に、図１０中のタイミングＴでの大当たり間アウト、大当たり間差玉、大当たり間スタートを記録し、さらに、これらのデータに対し前記第１実施例と基本的に同様の、「第１種合計」、「第２種合計」、「差玉比率」、「第１種平均」、「第２種平均」、「実スタート比率」、「平均スタート」、「平均スタート比率」、「全平均」の各データを付け加えた形態となっている。但し、本実施例において、「第１種平均」、「第２種平均」の各データは、後述する第２及び第３のデータ作成モードにて得られるデータを取り込むことにより得られるものである。
【００６７】
（２）第２のデータ作成モード
第２のデータ作成モードでは、パチンコ遊技機１において第１種大当たりが発生するまでの期間の稼動データ並びに当該大当たり期間中の稼動データに基づいて第１大当たり履歴データを作成し、この第１大当たり履歴データを発生順に並べると共に、これに他の所定のデータを付け加えた状態の第１種大当たり絞り込みデータとして出力する。
【００６８】
上記第１大当たり履歴データは、基本的には、前述した大当たり履歴データと同様のものであり、大当たりの発生時刻、大当たりの種類、発生状態、大当たり間アウト、大当たり間差玉、大当たり間スタート（第１スタート回数）、大当たり中差玉、大当たり中アウト、持ち玉を組み合わせたデータであり、プリンタを通じた印字出力或いはディスプレイを通じた表示出力として提供される。
【００６９】
但し、本実施例では、第１種及び第２種大当たりが重複発生するパチンコ遊技機１が管理対象となっているため、一部のデータが前記第１実施例と異なる内容となる。具体的には、第２種大当たりが発生している期間中のアウト玉（大当たり中アウト）を第１種大当たりが発生している期間の大当たり間アウトに加える必要があるため、大当たり間アウトが第１実施例と異なる内容になり、また、これに伴い大当たり間差玉も異なる内容となる。
【００７０】
図１２には、図１０のようなタイミングで第１大当たり信号及び第２大当たり信号を出力したパチンコ遊技機１に対応した第１種大当たり絞り込みデータを、当該図１０中に示したタイミングＴにて作成した場合の例が示されている。
この図１０において、第１種大当たり絞り込みデータは、第１種大当たりの発生順を示す通し番号（「２」、「５」、「７」、「８」）と対応付けた状態で、各第１大当たり履歴データ（発生時刻、大当たりの種類、発生状態、大当たり間アウト、大当たり間差玉、大当たり間スタート（第１スタート回数）、大当たり中差玉、大当たり中アウト、持ち玉の組合せデータ）を記録すると共に、図１０中のタイミングＴでの大当たり間アウト、大当たり間差玉、大当たり間スタートを記録し、さらに、これらのデータに対し「第１種平均」データを付け加えた形態となっている。
【００７１】
この第１種大当たり絞り込みデータ中の大当たり間アウトは、前述したように、第１種大当たりが新たに発生するまでの期間のデータであるが、本実施例のように、第１種及び第２種大当たりが重複発生するパチンコ遊技機１が管理対象の場合には、第１種大当たりが新たに発生するまでの期間の大当たり間アウトに対して、第２種大当たりが発生している期間中のアウト玉（大当たり中アウト）を加える必要がある。
【００７２】
具体的には、例えば、図１２中の通し番号「２」に対応した大当たり間アウトは、前記複合データ（図１１参照）中の通し番号「１」及び「２」に対応した各大当たり間アウト（＝３２００、１６２０）の合計に対し、同通し番号「１」に対応した大当たり中アウト（＝４６０）を加算した「５２８０」になる。
また、図１２中の通し番号「５」に対応した大当たり間アウトは、以下のように算出される。即ち、この場合には、前回の第１種大当たりの発生後に第２種大当たりが重複して発生しているため、その重複期間を考慮した計算が必要になる。
【００７３】
具体的には、図１１の複合データにおいて、通し番号「２」に対応した第１種大当たりでの大当たり中アウトは「５００」、これと重複発生した通し番号「３」に対応した第２種大当たりでの大当たり中アウトは「５４０」である。つまり、図１０（ｂ）中に括弧書きで示すように、第１種大当たりにある期間（ｔ１〜ｔ３）での大当たり中アウトが「５００」、第２種大当たりにある期間（ｔ２〜ｔ４）での大当たり中アウトが「５４０」ということになる。ここで、同図中に括弧書きで示すように、第１種及び第２種大当たりの重複期間（ｔ２〜ｔ３）の大当たり中アウトが例えば「２２０」であった場合、大当たり中アウトは、第１種大当たりが単独発生している間（ｔ１〜ｔ２）において「２８０」、第２種大当たりが単独発生している期間にいて「３２０」となる。
【００７４】
また、図１１から明らかなように、上記通し番号「３」に対応した第２種大当たりが終了してから通し番号「４」に対応した第２種大当たりが発生するまでの期間（ｔ４〜ｔ５）の大当たり間アウトは「２５８０」、当該第２種大当たりが終了してから通し番号「５」に対応した第１種大当たりが発生するまでの期間（ｔ６〜ｔ７）の大当たり間アウトは「１８６０」、上記第２種大当たりにある期間（ｔ５〜ｔ６）の大当たり中アウトは「４５０」であるから、通し番号「５」に対応した大当たり間アウトは、上記期間ｔ３〜ｔ４、ｔ５〜ｔ６の各大当たり中アウト（＝３２０、４５０）と、上記期間ｔ４〜ｔ５、ｔ６〜ｔ７の各大当たり間アウト＝２５８０、１８６０）とを加算した「５２１０」になる。
【００７５】
一方、第１種大当たり絞り込みデータ中の大当たり間差玉については、第２種大当たりが発生している期間中の差玉（大当たり中差玉）を加える必要がある。つまり、例えば、図１２中の通し番号「２」に対応した大当たり間差玉は、図１１中の通し番号「１」及び「２」に対応した各大当たり間差玉（＝−１９２０、−９７０）の合計に対し、同通し番号「１」に対応した大当たり中差玉（＝１１８０）を加算した「−１７１０」になる。また、図１２中の通し番号「５」に対応した大当たり間差玉は、前述した図１２中の通し番号「５」に対応した大当たり間アウトと同種の計算により求めることになり、この場合には「−６００」になる。
【００７６】
（３）第３のデータ作成モード
第３のデータ作成モードでは、パチンコ遊技機１において第２種大当たりが発生するまでの期間の稼動データ並びに当該大当たり期間中の稼動データに基づいて第２大当たり履歴データを作成し、この第２大当たり履歴データを発生順に並べると共に、これに他の所定のデータを付け加えた状態の第２種大当たり絞り込みデータとして出力する。
【００７７】
上記第２大当たり履歴データは、基本的には、前述した大当たり履歴データと同様のものであり、大当たりの発生時刻、大当たりの種類、発生状態、大当たり間アウト、大当たり間差玉、大当たり間スタート（第２スタート回数）、大当たり中差玉、大当たり中アウト、持ち玉を組み合わせたデータであり、プリンタを通じた印字出力或いはディスプレイを通じた表示出力として提供される。
【００７８】
但し、本実施例では、第１種及び第２種大当たりが重複発生するパチンコ遊技機１が管理対象となっているため、一部のデータが前記第１実施例と異なる内容となる。具体的には、第１種大当たりが発生している期間中のアウト玉（大当たり中アウト）を第２種大当たりが発生している期間の大当たり間アウトに加える必要があるため、大当たり間アウトが第１実施例と異なる内容になり、また、これに伴い大当たり間差玉も異なる内容となる。
【００７９】
図１３には、図１０のようなタイミングで第１大当たり信号及び第２大当たり信号を出力したパチンコ遊技機１に対応した第２種大当たり絞り込みデータを、当該図１０中に示したタイミングＴにて作成した場合の例が示されている。
この図１３において、第２種大当たり絞り込みデータは、第２種大当たりの発生順を示す通し番号（「１」、「３」、「４」、「６」、「９」）と対応付けた状態で、各第１大当たり履歴データ（発生時刻、大当たりの種類、発生状態、大当たり間アウト、大当たり間差玉、大当たり間スタート（第２スタート回数）、大当たり中差玉、大当たり中アウト、持ち玉の組合せデータ）を記録すると共に、図１０中のタイミングＴでの大当たり間アウト、大当たり間差玉、大当たり間スタートを記録し、さらに、これらのデータに対し「第２種平均」データを付け加えた形態となっている。
【００８０】
この第２種大当たり絞り込みデータ中の大当たり間アウトは、前述したように、第２種大当たりが新たに発生するまでの期間のデータであるが、本実施例のように、第１種及び第２種大当たりが重複発生するパチンコ遊技機１が管理対象の場合には、第２種大当たりが新たに発生するまでの期間の大当たり間アウトに対して、第１種大当たりが発生している期間中のアウト玉（大当たり中アウト）を加える必要がある。また、第２種大当たり絞り込みデータ中の大当たり間差玉については、第１種大当たりが発生している期間中の差玉（大当たり中差玉）を加える必要がある。
【００８１】
上記のように作成された複合データ（特性対比用データである差玉比率を含む）、第１種大当たり絞り込みデータ、第２種大当たり絞り込みデータは、管理用コンピュータ１６によって、所定日数分に渡って蓄積されると共に、印字出力或いはディスプレイを通じた表示出力としてパチンコホール従業員に対し選択的に提供され、また、上記蓄積データに基づいて作成した遊技客向けデータが呼出ランプユニット１３のデータ表示部１３ｂを通じて遊技客側に提供される構成となっており、従って、本実施例においても前記第１実施例と同等の効果を奏することができる。
【００８２】
（第３の実施の形態）
図１４ないし図２０には本発明の第３実施例が示されており、以下これについて前記第１実施例と異なる部分のみ説明する。
図１４には、管理対象となるパチンコ遊技機の正面外観が概略的に示されている。この図１４において、パチンコ遊技機１７は、その上皿１８内のパチンコ玉を電動式の玉発射機構（操作ダイヤルのみ符号１９を付して示す）により盤面２０へ発射する構成となっている。盤面２０には、アウト口２１、第１スタート入賞口２２、第２スタート入賞口２３、アタッカーと呼ばれる電動役物２４ａ及び２５ａをそれぞれ備えた第１大型入賞口２４及び第２大型入賞口２５、第１図柄表示部２６、第２図柄表示部２７が設けられていると共に、図示しない通常入賞口も設けられている。つまり、パチンコ遊技機１７は、同一種のパチンコ遊技機を融合した構成（第１種パチンコ遊技機の大当たり機能を２台分備えた形態）となっている。
【００８３】
第１図柄表示部２６は、第１スタート入賞口２２へのパチンコ玉の入賞に応じて行われる所定の大当たり確率の第１抽選動作の結果を表示し、第２図柄表示部２７は、第２スタート入賞口２３へのパチンコ玉の入賞に応じて行われる所定の大当たり確率の第２抽選動作の結果を表示するためのもので、図１４では、それぞれ３桁の数字列より成るルーレットを表示する例が示されている。即ち、第１及び第２図柄表示部２６及び２７は、それぞれに対応した第１及び第２スタート入賞口２２及び２３への各パチンコ玉の入賞に応じて互いに独立した状態でルーレットの変動表示（本実施例の場合、数字列の各桁の「０」〜「９」の範囲での変動表示）を開始するものであり、上記第１及び第２抽選動作の結果が大当たりであった各場合に、その変動終了時点で数字列が「１１１」、「２２２」、…のようなぞろ目図柄（大当たり図柄）となるように制御される。
【００８４】
この場合、第１図柄表示部２６にぞろ目図柄が表示された状態で第１大当たり条件が成立し、第２図柄表示部２７にぞろ目図柄が表示された状態で第２大当たり条件が成立することになる。そして、第１大当たり条件が成立したときには、第１大型入賞口２４の電動役物２４ａ（アタッカー）が予め決められたモードにて所定期間だけ開放され、以て当該入賞口２４への入賞率が極端に高められた第１の大当たり状態（以下これを第１大当たりと呼ぶ）を呈するものである。また、第２大当たり条件が成立したときには、第２大型入賞口２５の電動役物２５ａ（アタッカー）が予め決められたモードにて所定期間だけ開放され、以て当該入賞口２５への入賞率が極端に高められた第２の大当たり状態（以下これを第２大当たりと呼ぶ）を呈するものである。
【００８５】
本実施例では、第１スタート入賞口２２へのパチンコ玉入賞に応じて行われる第１抽選動作の大当たり確率を１／１６０、第２スタート入賞口２３へのパチンコ玉入賞に応じて行われる第２抽選動作の大当たり確率を１/３５０に設定しており、また、第１大当たりが発生したときの平均的な差玉数が１８００個前後、第２大当たりが発生したときの平均的な差玉数が１２００個前後となるように構成されている。
【００８６】
尚、本実施例によるパチンコ遊技機１７は、第１大当たり及び第２大当たりが独立して発生する構成（同時期に並行発生可能な構成）となっている。また、第１スタート入賞口２２へのパチンコ玉の入賞が、第１図柄表示部２６の変動表示期間、第１大当たりにある期間中に発生した各場合には、その入賞に応じた抽選結果の表示が保留され、第２スタート入賞口２３へのパチンコ玉の入賞が、第２図柄表示部２７の変動表示期間、第２大当たりにある期間中に発生した各場合には、その入賞に応じた抽選結果の表示が保留される。そして、このように保留された抽選結果の表示動作は、各図柄表示部２６及び２７の変動表示或いは各大当たりの終了を待って行われるものであり、以て当該表示保留状態が解除される構成となっている。このような抽選結果の表示の一時的な保留数（所謂保留玉数）は所定の上限値（例えば「４」）に制限されており、当該保留玉数を表示するために、第１及び第２図柄表示部２６及び２７内に保留玉表示部２６ａ及び２７ａがそれぞれ設けられている。
【００８７】
このように構成されたパチンコ遊技機１７には、以下に述べるような各信号を外部へ出力する機能が設けられている。
即ち、パチンコ遊技機１７は、打込パチンコ玉数を示すアウト玉数信号、並びに賞球として払い出されたパチンコ玉の数を示すセーフ玉数信号を出力する。また、パチンコ遊技機１７は、第１スタート入賞口２２へパチンコ玉が入賞する毎に第１スタート入賞信号を出力すると共に、第２スタート入賞口２３へパチンコ玉が入賞する毎に第２スタート入賞信号を出力し、第１図柄表示部２６による図柄変動動作の実行（以下、これを第１スタートと呼ぶ）毎に第１スタート信号を出力すると共に、第２図柄表示部２７による図柄変動動作の実行（以下、これを第２スタートと呼ぶ）毎に第２スタート信号を出力する。さらに、パチンコ遊技機１７は、第１大当たり及び第２大当たりにある各期間に第１大当たり信号及び第２大当たり信号をそれぞれ出力する。尚、本実施例のパチンコ遊技機１７は、第１大当たりにある期間に第１大当たり信号を継続的に出力すると共に、第２大当たりにある期間に第２大当たり信号を継続的に出力する構成となっている。
【００８８】
このパチンコ遊技機１７からの信号（アウト玉数信号、セーフ玉数信号、第１スタート入賞信号、第２スタート入賞信号、第１スタート信号、第２スタート信号、第１大当たり信号、第２大当たり信号など）を受ける管理コンピュータ１６（図１参照）は、以下に述べるようなデータ集計機能及び比率演算機能を備えている。
【００８９】
（１）第１のデータ集計機能
この第１のデータ集計機能は、パチンコホール内に設置された全部のパチンコ遊技機１７についての第１大当たりに関連した稼働データを、当日の営業開始時点からデータ作成時点までの期間について集計し、その集計結果を第１大当たりデータとして出力するために設定されている。
【００９０】
図１５には、第１のデータ集計機能により集計した第１大当たりデータの一例が示されている。この図１５に示された第１大当たりデータは、例えば、同一機種のパチンコ遊技機１７についてのデータを１０台分だけ抽出したものであり、当該機種名及び第１抽選動作の大当たり確率（＝１／１６０）を示すデータ、パチンコ遊技機１７の台番号と対応付けた状態の以下（ａ）〜（ｉ）に示す各データ、並びに当該各データの遊技機１台当たりの平均値データを記録した形態となっている。
【００９１】
（ａ）総アウト数…アウト玉の総数、
（ｂ）総スタート入賞数＜１＞…第１スタート入賞口２２への入賞パチンコ玉数（スタート入賞回数に相当）、
（ｃ）総スタート回数＜１＞…第１スタート回数（第１図柄表示部２６での図柄変動動作の回数）、
（ｄ）大当たり回数＜１＞…第１大当たりの発生回数、
（ｅ）補正大当たり回数＜１＞…総スタート回数＜１＞×第１抽選動作の大当たり確率（補正大当たり回数に相当）、
（ｆ）平均大当たり中差玉＜１＞…第１大当たり中の差玉数の平均値（平均差引遊技媒体数データに相当）、
（ｇ）平均大当たり中アウト＜１＞…第１大当たり中のアウト玉数の平均値、
（ｈ）平均大当たり中セーフ＜１＞…第１大当たり中のセーフ玉数の平均値（平均払出遊技媒体数データに相当）、
（ｉ）大当たり間アウト＜１＞…第１大当たりが新たに発生するまでの各期間のアウト玉の総数。
【００９２】
（２）第２のデータ集計機能
この第２のデータ集計機能は、パチンコホール内に設置された全部のパチンコ遊技機１７についての第２大当たりに関連した稼働データを、当日の営業開始時点からデータ作成時点までの期間について集計し、その集計結果を第２大当たりデータとして出力するために設定されている。
【００９３】
図１６には、第２のデータ集計機能により集計した第２大当たりデータの一例が示されている。この図１６に示された第２大当たりデータは、前記第１大当たりデータ（図１５参照）に対応した同一機種の１０台分のパチンコ遊技機１７についてのデータを抽出したものであり、当該機種名及び第２抽選動作の大当たり確率（＝１／３５０）を示すデータ、パチンコ遊技機１７の台番号と対応付けた状態の以下（ａ）〜（ｉ）に示す各データ、並びに当該各データの遊技機１台当たりの平均値データを記録した形態となっている。
【００９４】
（ａ）総アウト数…アウト玉の総数、
（ｂ）総スタート入賞数＜２＞…第２スタート入賞口２３への入賞パチンコ玉数（スタート入賞回数に相当）、
（ｃ）総スタート回数＜２＞…第２スタート回数（第２図柄表示部２７での図柄変動動作の回数）、
（ｄ）大当たり回数＜２＞…第２大当たりの発生回数、
（ｅ）補正大当たり回数＜２＞…総スタート回数＜２＞×第２抽選動作の大当たり確率（補正大当たり回数に相当）、
（ｆ）平均大当たり中差玉＜２＞…第２大当たり中の差玉数の平均値（平均差引遊技媒体数データに相当）、
（ｇ）平均大当たり中アウト＜２＞…第２大当たり中のアウト玉数の平均値、
（ｈ）平均大当たり中セーフ＜２＞…第２大当たり中のセーフ玉数の平均値（平均払出遊技媒体数データに相当）、
（ｉ）大当たり間アウト＜２＞…第２大当たりが新たに発生するまでの各期間のアウト玉の総数。
尚、この第２大当たりデータを前記第１大当たりデータと統合した形態で出力しても良く、この場合には重複するデータ（総アウト数）を省略できる。
【００９５】
（３）第１の比率演算機能
この第１の比率演算機能は、第１及び第２大当たりに係る特定データ、つまり、第１スタート回数と第２スタート回数との比率並びに第１大当たりの発生回数と第２大当たりの発生回数との比率を演算し、その演算結果を第１比率データとして出力するために設定されている。
【００９６】
図１７には、第１の比率演算機能により演算した第１比率データの一例が示されている。この図１７に示された第１比率データは、前記第１及び第２大当たりデータ（図１５及び図１６参照）に対応した同一機種の１０台分のパチンコ遊技機１７についてのデータであり、当該機種名、第１及び第２抽選動作の各大当たり確率（＝１／１６０、１／３５０）を示すデータ、パチンコ遊技機１７の台番号と対応付けた状態の以下（ａ）〜（ｆ）に示す各データ、並びに当該各データの遊技機１台当たりの平均値データを記録した形態となっている。
【００９７】
（ａ）平均スタート＜１＞…第１大当たりデータ（図１５参照）中の「大当たり間アウト＜１＞」１０００個当たりの「総スタート回数＜１＞」の平均値、
（ｂ）平均スタート＜２＞…第２大当たりデータ（図１６参照）中の「大当たり間アウト＜２＞」１０００個当たりの「総スタート回数＜２＞」の平均値、
（ｃ）スタート比率…平均スタート＜２＞を「１」としたときの平均スタート＜１＞と平均スタート＜２＞との比率、
（ｄ）大当たり回数＜１＞…第１大当たりデータ（図１５参照）中の「大当たり回数＜１＞」に相当したデータ、
（ｅ）大当たり回数＜２＞…第２大当たりデータ（図１６参照）中の「大当たり回数＜２＞」に相当したデータ、
（ｆ）大当たり回数比率…大当たり回数＜２＞を「１」としたときの大当たり回数＜１＞と大当たり回数＜２＞との比率。
【００９８】
（４）第３のデータ演算機能
この第３のデータ演算機能は、各パチンコ遊技機１７の第１及び第２大当たり時における差玉数、セーフ玉数についての集計データ、並びに当該集計データを前記補正大当たり回数＜１＞、補正大当たり回数＜２＞を利用して補正し、それら集計データ及び補正データを補正大当たりデータとして出力するために設定されている。
【００９９】
図１８には、第３のデータ集計機能により集計した補正大当たりデータの一例が示されている。この図１８に示された補正大当たりデータは、前記第１及び第２大当たりデータ（図１５及び図１６参照）に対応した同一機種の１０台分のパチンコ遊技機１７についてのデータを抽出したものであり、当該機種名、第１及び第２抽選動作の各大当たり確率（＝１／１６０、１／３５０）を示すデータ、パチンコ遊技機１７の台番号と対応付けた状態の以下（ａ）〜（ｈ）に示す各データ、並びに当該各データの遊技機１台当たりの平均値データを記録した形態となっている。
【０１００】
（ａ）大当たり中差玉＜１＞…第１大当たり中の差玉数、
（ｂ）補正大当たり中差玉＜１＞…平均大当たり中差玉＜１＞×補正大当たり回数＜１＞（補正差引遊技媒体数データに相当：尚、上記平均大当たり中差玉＜１＞及び補正大当たり回数＜１＞の各データは前記第１大当たりデータ（図１５参照）により示されている、但し、補正大当たり回数＜１＞は、図１５では小数点以下第１桁までのみ示されているが、上記演算時には、当該補正大当たり回数＜１＞の演算時に得られる有効桁数が大きい値が使用される）、
（ｃ）大当たり中セーフ＜１＞…第１大当たり中のセーフ玉数、
（ｄ）補正大当たり中セーフ＜１＞…平均大当たり中セーフ＜１＞×補正大当たり回数＜１＞（補正払出遊技媒体数データに相当：尚、上記平均大当たり中セーフ＜１＞のデータは前記第１大当たりデータ（図１５参照）により示されている）、
（ｅ）大当たり中差玉＜２＞…第２大当たり中の差玉数、
（ｆ）補正大当たり中差玉＜２＞…平均大当たり中差玉＜２＞×補正大当たり回数＜２＞（補正差引遊技媒体数データに相当：尚、上記平均大当たり中差玉＜２＞及び補正大当たり回数＜２＞の各データは前記第２大当たりデータ（図１６参照）により示されている、但し、補正大当たり回数＜２＞は、図１６では小数点以下第１桁までのみ示されているが、上記演算時には、当該補正大当たり回数＜２＞の演算時に得られる有効桁数が大きい値が使用される）、
（ｇ）大当たり中セーフ＜２＞…第２大当たり中のセーフ玉数、
（ｈ）補正大当たり中セーフ＜２＞…平均大当たり中セーフ＜２＞×補正大当たり回数＜２＞（補正払出遊技媒体数データに相当：尚、上記平均大当たり中セーフ＜２＞のデータは前記第２大当たりデータ（図１６参照）により示されている）。
【０１０１】
（５）第２の比率演算機能
この第２の比率演算機能は、第３のデータ演算機能により得られた各データの比率を演算し、その演算結果を第２比率データとして出力するために設定されている。
【０１０２】
図１９には、第２の比率演算機能により演算した第２比率データの一例が示されている。この図１７に示された第２比率データは、前記補正大当たりデータ（図１８参照）に対応した同一機種の１０台分のパチンコ遊技機１７についてのデータであり、当該機種名、第１及び第２抽選動作の各大当たり確率（＝１／１６０、１／３５０）を示すデータ、パチンコ遊技機１７の台番号と対応付けた状態の以下（ａ）〜（ｄ）に示す各比率データ、並びに当該各比率データの遊技機１台当たりの平均値データを記録した形態となっている。
【０１０３】
（ａ）大当たり中差玉比率…大当たり中差玉＜２＞を「１」としたときの大当たり中差玉＜１＞と大当たり中差玉＜２＞との比率（特性対比用データに相当）、
（ｂ）補正大当たり中差玉比率…補正大当たり中差玉＜２＞を「１」としたときの補正大当たり中差玉＜１＞と補正大当たり中差玉＜２＞との比率（補正用比率データに相当）、
（ｃ）大当たり中セーフ比率…大当たり中セーフ＜２＞を「１」としたときの大当たり中セーフ＜１＞と大当たり中セーフ＜２＞との比率（特性対比用データに相当）、
（ｄ）補正大当たり中セーフ比率…補正大当たり中セーフ＜２＞を「１」としたときの補正大当たり中セーフ＜１＞と補正大当たり中セーフ＜２＞との比率（補正用比率データに相当）。
【０１０４】
一方、管理コンピュータ１６には、上記のような第１ないし第３のデータ演算機能並びに第１及び第２の比率演算機能により作成した第１大当たりデータ、第２大当たりデータ、補正大当たりデータ、第１比率データ、第２比率データを所定日数分に渡って蓄積すると共に、その蓄積データを印字出力或いはディスプレイを通じた表示出力としてパチンコホール従業員に対し選択的に提供する機能の他に、データ出力機能が設定されている。このデータ出力機能は、上記蓄積データに基づいて作成した遊技客向けデータを呼出ランプユニット１３のデータ表示部１３ｂに表示することにより遊技客側に提供するというものであり、以下これについて説明する。
【０１０５】
図２０には、第１及び第２大当たりデータ、第１比率データ（図１５〜図１７参照）並びに他の稼働データ（確変回数、連チャンの有無などを示すデータ）に基づいて作成した遊技客向けデータの表示例（但し、数値例は図１５〜図１７の内容と異なる）を示すものであり、
・当日の第１大当たりの発生回数ａ、
・当日の第１大当たりについての確変及び時短の発生回数ｂ、
・当日の第２大当たりの発生回数ｃ、
・当日の第２大当たりについての確変及び時短の発生回数ｄ、
・前回の第１大当たりの終了後から現在時点までの第１スタート回数ｅ（但し、第１大当たりが未発生の時点では当日の営業開始時点から現在時点までの第１スタート回数）、
・前回の第２大当たりの終了後から現在時点までの第２スタート回数ｆ（但し、第２大当たりが未発生の時点では当日の営業開始時点から現在時点までの第２スタート回数）、
がそれぞれ数値表示されると共に、第１スタート回数に絞った状態の第１スタート履歴グラフｇ、第１大当たりについての連チャン回数ｈ、第２スタート回数に絞った状態の第２スタート履歴グラフｉ、第２大当たりについての連チャン回数ｊが表示される。
【０１０６】
第１スタート履歴グラフｇは、第１スタート回数についての履歴を所定の表示色のデータセットから成る棒グラフにより表示したものであり、各データセットは、１目盛が１〜１００回に対応している。この場合、前回の第１大当たりの終了時点（若しくは営業開始時点）から現在時点までの間における第１スタート回数が、「現在」の文字に対応付けて表示されると共に、新たに第１大当たりが発生した時点までの各期間の第１スタート回数についての過去５回分の履歴が、「１回前」、「２回前」、「３回前」、「４回前」、「５回前」の文字に対応付けて表示される。但し、確変（或いは時短）を伴った第１大当たり及びこの確変（或いは時短）時に発生した第１大当たり（つまり、連チャン状態）は、これを１回とカウントしており、当該確変（或いは時短）を伴った第１大当たりが新たに発生するまでの期間の第１スタート回数について棒グラフ表示している。
【０１０７】
連チャン回数ｈは、「現在」、「１回前」、「２回前」、「３回前」、「４回前」、「５回前」の文字に対応付けた状態で数値表示される。尚、連チャン回数ｈ＝「０」は第１大当たりが未発生であることを示し、連チャン回数ｈ＝「１」は第１大当たりが単独発生したものであることを示す。
【０１０８】
第２スタート履歴グラフｉは、第２スタート回数についての履歴を前記第２スタート履歴グラフｇと異なる表示色のデータセットから成る棒グラフにより表示したものであり、各データセットは、１目盛が１〜１００回に対応している。この場合、前回の第２大当たりの終了時点（若しくは営業開始時点）から現在時点までの間における第２スタート回数が、「現在」の文字に対応付けて表示されると共に、新たに第２大当たりが発生した時点までの各期間の第２スタート回数についての過去５回分の履歴が、「１回前」、「２回前」、「３回前」、「４回前」、「５回前」の文字に対応付けて表示される。但し、確変（或いは時短）を伴った第２大当たり及びこの確変（或いは時短）時に発生した第２大当たり（つまり、連チャン状態）は、これを１回とカウントしており、当該確変（或いは時短）を伴った第２大当たりが新たに発生するまでの期間の第２スタート回数について棒グラフ表示している。
【０１０９】
連チャン回数ｊは、「現在」、「１回前」、「２回前」、「３回前」、「４回前」、「５回前」の文字に対応付けた状態で数値表示される。尚、連チャン回数ｊ＝「０」は第２大当たりが未発生であることを示し、連チャン回数ｊ＝「１」は第２大当たりが単独発生したものであることを示す。
【０１１０】
このような本実施例においても、所定日数分に渡って蓄積された第１大当たりデータ、第２大当たりデータ及び第１比率データが、印字出力或いはディスプレイを通じた表示出力としてパチンコホール従業員に対し選択的に提供され、また、上記蓄積データに基づいて作成した遊技客向けデータが呼出ランプユニット１３のデータ表示部１３ｂを通じて遊技客側に提供される構成となっているから、本実施例においても前記第１実施例と同等の効果を奏することができる。
【０１１１】
特に、本実施例においては、各パチンコ遊技機１７の第１及び第２大当たり時における差玉数、セーフ玉数についての実際の集計データ（平均大当たり中差玉＜１＞、平均大当たり中差玉＜２＞、平均大当たり中セーフ＜１＞、平均大当たり中セーフ＜２＞）を、補正大当たり回数＜１＞、補正大当たり回数＜２＞（つまり、第１大当たり及び第２大当たりの設定上の発生回数）を利用して補正した補正大当たりデータ（図１８参照）、並びに当該実際の集計データ及び補正データ中の所定データの比率を示す第２比率データ（図１９参照）もパチンコホール従業員に対し提供される構成となっているから、以下に述べるような効果を奏することができる。
【０１１２】
即ち、第１及び第２大当たりが発生する確率は、長期間に渡ってサンプリングした場合には予め設定されている第１及び第２抽選動作の各大当たり確率（＝１／１６０、１／３５０）に落ち着くことになるが、実際には各営業日毎に変動することが避けられない。このため、毎日の営業終了後において、第１及び第２大当たり期間中の各差玉数及び各セーフ玉数に基づいて算出した特性対比用データ（大当たり中差玉比率、大当たり中セーフ比率）に基づいて、パチンコ遊技機１７の収支データが第１及び第２大当たりのどちらの遊技特性に依存しているかを判断した場合には、その判断結果が不正確になる恐れがある。
【０１１３】
これに対して、本実施例によれば、管理コンピュータ１６において、第１及び第２の各大当たり期間中の平均的な差玉数及びセーフ玉数を示すデータ（平均大当たり中差玉＜１＞、平均大当たり中差玉＜２＞、平均大当たり中セーフ＜１＞、平均大当たり中セーフ＜２＞）の算出、パチンコ遊技機１７における実際のスタート入賞回数（総スタート入賞数＜１＞、総スタート入賞数＜２＞）と予め設定されている大当たり確率（１／６０、１／３５０）とに基づいた補正大当たり回数＜１＞及び＜２＞の算出、この補正大当たり回数＜１＞及び＜２＞と前記平均大当たり中差玉＜１＞、平均大当たり中差玉＜２＞、平均大当たり中セーフ＜１＞、平均大当たり中セーフ＜２＞とに基づいた補正データ（補正大当たり中差玉＜１＞、補正大当たり中差玉＜２＞、補正大当たり中セーフ＜１＞、補正大当たり中セーフ＜２＞）の算出がそれぞれ行われると共に、パチンコ遊技機１７が第１及び第２大当たりにある各期間中における前記補正大当たり中差玉＜１＞及び補正大当たり中差玉＜２＞の比率、並びに前記補正大当たり中セーフ＜１＞、補正大当たり中セーフ＜２＞の比率がパチンコ遊技機１７毎に演算され、その演算結果が補正用比率データ（補正大当たり中差玉比率、補正大当たり中セーフ比率）として出力される。つまり、この補正用比率データは、スタート入賞が実際に発生した回数と設定された大当たり確率に基づいて算出されたデータであって、パチンコ遊技機１７の収支データがどちらの大当たりに係る遊技特性に依存しているかを把握する上での標準的な目安となる。従って、前記特性対比用データ（大当たり中差玉比率、大当たり中セーフ比率）が、短期間の差玉数データ及びセーフ玉数データに基づいて演算された場合であっても、補正用比率データと比較することによって当該特性対比用データの信頼性を高め得るようになる。
【０１１４】
本実施例では、第１大当たりデータ、第２大当たりデータ、補正大当たりデータ、第１比率データ及び第２比率データ中の各データについて遊技機１台当たりの平均値データを記録した形態となっているが、この平均値データは、同一機種のパチンコ遊技機１７群全体に係る各データの平均値に相当することになる。
つまり、特性対比用データである大当たり中差玉比率及び大当たり中セーフ比率、並びに補正用比率データである補正大当たり中差玉比率及び補正大当たり中セーフ比率が、遊技場内に設置された同一機種のパチンコ遊技機１７群全体についても得られることになるから、第１及び第２大当たりについての遊技特性の傾向をパチンコ遊技機１７の機種毎に把握する上で有益になる。また、上記第２比率データに係る平均値データ（同一機種のパチンコ遊技機１７群全体についての特性対比用データ及び補正用比率データに相当）を、パチンコ遊技機１７毎の特性対比用データ及び補正用比率データの分析の目安となる標準的なデータとして利用できるようになり、従って、各大当たりについての遊技特性の傾向を分析する上でも有益になる。
【０１１５】
（第４の実施の形態）
図２１には本発明の第４実施例が示されており、以下これについて前記実施例と異なる部分のみ説明する。
即ち、前記第１及び第２実施例で管理対象としたパチンコ遊技機１は、第１種大当たり及び第２種大当たりにある各期間に第１大当たり信号及び第２大当たり信号をそれぞれ出力する構成となっており、また、前記第３実施例で管理対象としたパチンコ遊技機１７は、第１大当たり及び第２大当たりにある各期間に第１大当たり信号及び第２大当たり信号をそれぞれ出力する構成となっている。従って、各大当たりに係る稼働データの区分及び集計管理を、上記第１及び第２大当たり信号を利用して行うことができる。これに対して、２種類の大当たり状態が設定されているにも関わらず、大当たり信号が１種類しか出力されないパチンコ遊技機も存在する可能性があり、本実施例は、このようなパチンコ遊技機を管理対象とした場合に好適するものである。
【０１１６】
本実施例では、第１実施例で説明したような第１種大当たり及び第２種大当たりが発生するように構成され、それら大当たりが発生した各期間に同一の大当たり信号が出力されるパチンコ遊技機（但し、第１種大当たり及び第２種大当たりが同時に進行しない構成のもの）を管理対象とした例について説明する。
上記パチンコ遊技機においては、第１種大当たりが発生したときの平均的な差玉数は１８００個前後、第２種大当たりが発生したときの平均的な差玉数は１２００個前後である。また、第１種大当たり中の平均的なアウト玉数（打込玉数）は４００個前後、第２種大当たり中の平均的なアウト玉数は２５０個程度である。そこで、本実施例においては、大当たり信号が出力された期間（第１種大当たりまたは第２種大当たりの継続期間）における差玉数（大当たり中差玉）またはアウト玉数（大当たり中アウト）が予め設定された上限しきい値及び下限しきい値の範囲に収まっているか否かに基づいて、発生した大当たりの種類（第１種か第２種）を判定する構成となっている。
【０１１７】
この場合、第１種大当たりについての大当たり中差玉の上限しきい値及び下限しきい値を例えば「２０００」及び「１６００」に設定し、第２種大当たりについての大当たり中差玉の上限しきい値及び下限しきい値を例えば「１４００」及び「５００」に設定する。また、第１種大当たりについての大当たり中アウトの上限しきい値及び下限しきい値を例えば「５００」及び「３００」に設定し、第２種大当たりについての大当たり中アウトの上限しきい値及び下限しきい値を例えば「３００」及び「１００」に設定する。
【０１１８】
従って、大当たり信号が出力された場合に、これに伴う大当たり中差玉を監視し、最終的に、
１６００≦大当たり中差玉≦２０００
の状態となったときに第１種大当たりが発生したものと判定し、
５００≦大当たり中差玉≦１４００
の状態となったときに第１種大当たりが発生したものと判定することになる。
【０１１９】
また、大当たり信号が出力された場合に、これに伴う大当たり中アウトを監視し、最終的に、
３００≦大当たり中アウト≦５００
の状態となったときに第１種大当たりが発生したものと判定し、
１００≦大当たり中アウト≦３００
の状態となったときに第２種大当たりが発生したものと判定することになる。
【０１２０】
尚、第２種大当たりに係る大当たり中差玉及び大当たり中アウトの下限しきい値を、第２種大当たりにおける平均的な大当たり中差玉及び大当たり中アウト（「１２００」及び「２５０」に比べて大幅に小さな値に設定したのは、第２種大当たりの発生時に起こり易い所謂パンク時においても当該第２種大当たりの発生の有無を判定できるようにするためである。
【０１２１】
図２１には、上記のような判定動作を説明するためのタイミングチャートが示されている。この図２１は、横軸がパチンコ遊技機の遊技に伴い増加するアウト玉数、縦軸が当該遊技に伴い変動する差玉数を示すものであり、図中のタイミングｔ１、ｔ２、ｔ４において第２種大当たりが発生し、タイミングｔ３、ｔ５において第１種大当たりが発生した場合の例が示されている。
【０１２２】
この図２１において、ΔＹ１、ΔＹ２、ΔＹ４は第２種大当たりに係る大当たり中差玉、ΔＹ３、ΔＹ５は第１種大当たりに係る大当たり中差玉、ΔＸ１、ΔＸ２、ΔＸ４は第２種大当たりに係る大当たり中アウト、ΔＸ３、ΔＸ５は第１種大当たりに係る大当たり中アウトであり、これらのデータはパチンコ遊技機において第１及び第２の各大当たりが終了する毎にリアルタイムで集計できる。
【０１２３】
このように集計された大当たり中差玉ΔＹ１〜ΔＹ５及び大当たり中アウトΔＸ１〜ΔＸ５を前記上限しきい値及び下限しきい値と比較することにより、発生した大当たりの種類を判定できるようになる。尚、図２１において、時刻ｔ２で発生した２回目の第２種大当たりは、その大当たり中差玉ΔＹ２及び大当たり中アウトΔＸ２が極端に少ないため、所謂パンクが発生したものと判断できることになる。
【０１２４】
（その他の実施の形態）
その他、本発明は上記し且つ図面に示した実施例に限定されるものではなく、例えば以下に述べるような変形或いは拡大が可能である。
第１及び第２本実施例では、特性対比用データとして、第１種大当たりの発生に応じた大当たり中差玉の合計と第２種大当たりの発生に応じた大当たり中差玉の合計との比率を示す「差玉比率」を求める構成としたが、第１種大当たりの発生に応じた大当たり中セーフの合計と第２種大当たりの発生に応じた大当たり中セーフの合計との比率を示す「セーフ玉比率」を特性対比データとして求める構成としても良いものである。
【０１２５】
第１及び第２実施例において、管理コンピュータ１６に備えられた第１出力機能に対して、第１大当たり履歴データを同一機種のパチンコ遊技機１について平均した第１の平均大当たり履歴データを出力する機能を付加すると共に、当該管理コンピュータ１６に備えられた前記第２出力機能に対して、第２大当たり履歴データを同一機種のパチンコ遊技機１について平均した第２の平均大当たり履歴データを出力する機能を付加する構成としても良い。この構成によれば、同一機種のパチンコ遊技機１についての第１の平均大当たり履歴データ及び第２の平均大当たり履歴データを、第１及び第２大当たり履歴データ（第１種大当たり絞り込みデータ（図６、図１２参照）、第２種大当たり絞り込みデータ（図７、図１３参照））の分析時においてその分析の目安となる標準的なデータとして利用できるようになり、以てパチンコ遊技機１で発生した各大当たり状態についてのデータ分析の信頼性を高め得るようになる。
【０１２６】
第３実施例において、第１比率データ（図１７参照）中の「スタート比率」、「大当たり回数比率」、及び第２比率データ（図１９参照）中の「大当たり中差玉比率」、「補正大当たり中差玉比率」、「大当たり中セーフ比率」、「補正大当たり中セーフ比率」の各比率データの任意の組合せを一覧データとして出力できる構成としても良い。また、これらの比率データは、一方を「１」とした状態で表現しているが、これに限らないことは勿論である。
【０１２７】
第１及び第２実施例では、第１の大当たり状態の例として第１種パチンコ遊技機に対応した大当たり状態（第１種大当たり）を挙げると共に、第２の大当たり状態の例として第２種パチンコ遊技機に対応した大当たり状態（第２種大当たり）を挙げたが、これに限られるものでない。例えば第３種パチンコ遊技機（所謂権利物）に設定された大当たり状態を第１の大当たり状態或いは第２の大当たり状態として適用する構成、３種類以上の大当たり状態が発生可能な構成など、種々の組合せが考えられる。また、大当たり状態のために異なるスタート入賞口（第１及び第２実施例の場合、第１スタート入賞口６及び第２スタート入賞口７ａ、７ｂ、第３実施例の場合、第１スタート入賞口２２及び第２スタート入賞口２３）を設けたパチンコ遊技機１或いは１７を例にしたが、各大当たり状態のための共通のスタート入賞口を設けたパチンコ遊技機を管理対象とすることも可能である。
【０１２８】
第４実施例において、大当たり信号が１種類しか出力されない場合に、大当たり中差玉または大当たり中アウトについて設定したしきい値を利用して２種類の大当たりを判別する例を挙げたが、これに限られるものではない。例えば、一方のしきい値の設定をさらに細かくすることにより、第２種大当たりの継続ラウンド数を特定できるようにしても良い。また、大当たり中差玉と大当たり中アウトの双方にしきい値を設けて発生する大当たりの種類を判別する構成としたが、どちらか一方のしきい値のみで判別する構成としても良いことは勿論、大当たり中セーフや大当たりの継続時間（大当たり信号が出力されている期間）にしきい値を設けて、発生する大当たりの種類や大当たりの継続ラウンド数を判別するようにしても良い。
【０１２９】
本発明で管理対象とするパチンコ遊技機は、各実施例で示した形式のものに限定される訳ではなく、例えば所謂封入式のパチンコ遊技機も管理対象とすることができる。その場合には、入賞に応じて付与される得点が、本発明でいうところの入賞に応じて払い出される遊技媒体数に該当することは勿論である。
本発明のシステムによる管理対象の遊技機をスロットマシンとすることも可能である。
【図面の簡単な説明】
【０１３０】
【図１】本発明の第１実施例を示すシステム全体の概略的構成図
【図２】パチンコ遊技機の概略的な正面図
【図３】パチンコ遊技機の要部の拡大正面図
【図４】第１大当たり信号及び第２大当たり信号の出力パターン例を示すタイミングチャート
【図５】複合データの出力例を示す図
【図６】第１種大当たり絞り込みデータの出力例を示す図
【図７】第２種大当たり絞り込みデータの出力例を示す図
【図８】遊技客向けデータの表示例を示す図その１
【図９】遊技客向けデータの表示例を示す図その２
【図１０】本発明の第２実施例を示す図４相当図
【図１１】図５相当図
【図１２】図６相当図
【図１３】図７相当図
【図１４】本発明の第３実施例を示す図２相当図
【図１５】第１大当たりデータの出力例を示す図
【図１６】第２大当たりデータの出力例を示す図
【図１７】第１比率データの出力例を示す図
【図１８】補正大当たりデータの出力例を示す図
【図１９】第２比率データの出力例を示す図
【図２０】遊技客向けデータの表示例を示す図
【図２１】本発明の第４実施例を示す作用説明図
【符号の説明】
【０１３１】
１はパチンコ遊技機、６は第１スタート入賞口、７ａ、７ｂは第２スタート入賞口、８は大型入賞口、８ａは電動役物、９は複合役物、１０はセンター役物、１０ｂは羽根（電動役物）、１０ｃはＶゾーン、１１は図柄表示部、１３は呼出ランプユニット、１３ｂはデータ表示部、１６は管理コンピュータ（データ出力手段）、１７はパチンコ遊技機、２２は第１スタート入賞口、２３は第２スタート入賞口、２４は第１大型入賞口、２４ａは電動役物、２５は第２大型入賞口、２５ａは電動役物、２６は第１図柄表示部、２７は第２図柄表示部を示す。
【図１】
2005160617.tif 000003
【図２】
2005160617.tif 000004
【図３】
2005160617.tif 000005
【図４】
2005160617.tif 000006
【図５】
2005160617.tif 000007
【図６】
2005160617.tif 000008
【図７】
2005160617.tif 000009
【図８】
2005160617.tif 000010
【図９】
2005160617.tif 000011
【図１０】
2005160617.tif 000012
【図１１】
2005160617.tif 000013
【図１２】
2005160617.tif 000014
【図１３】
2005160617.tif 000015
【図１４】
2005160617.tif 000016
【図１５】
2005160617.tif 000017
【図１６】
2005160617.tif 000018
【図１７】
2005160617.tif 000019
【図１８】
2005160617.tif 000020
【図１９】
2005160617.tif 000021
【図２０】
2005160617.tif 000022
【図２１】
2005160617.tif 000023